(57)【特許請求の範囲】
【請求項１】
上面、前面、左右の側面、下面を備え、シャッター構成要素を収容するシャッターケースにおいて、
前記上面の前端に当該上面の全幅に亘って溝を形成すると共に、前記溝内に第１水抜き孔を形成し、
前記下面の前端ないし前端近傍にケース外部に連通する第２水抜き孔を形成し、
前記シャッターケース内には、前記第１水抜き孔と前記第２水抜き孔とを連通させる連通空間が形成されており、当該連通空間は、シャッター構成要素の収容空間から遮断されている、シャッターケース構造。
【請求項２】
前記シャッターケース内には、前記前面に離間対向して内部空間を仕切る障壁が形成されており、当該障壁の前側が前記連通空間、後側が前記収容空間となっている、請求項１に記載のシャッターケース構造。
【請求項３】
上面、前面、左右の側面、下面を備え、シャッター構成要素を収容するシャッターケースと、前記シャッターケースに装着されるカバーと、からなるシャッターケース構造であって、
前記カバーは、上面、前面、左右の側面、下面を備え、前記カバー上面は、前記ケース上面の少なくとも一部を覆い、前記カバー側面は、前記ケース側面の少なくとも一部を覆い、前記カバー前面は、前記ケース前面を覆い、前記カバー下面は、前記ケース下面の少なくとも一部を覆うように前記シャッターケースに装着され、前記シャッターケースに装着した状態でケース前面とカバー前面との間に空間が形成されており、
前記カバー上面の前端には、前記空間の上方に位置して当該カバー上面の全幅に亘って溝が形成されていると共に、前記溝内に第１水抜き孔が形成されており、
前記カバー下面には、前記空間の下方に位置して外部と連通する第２水抜き孔が形成されている、シャッターケース構造。
【請求項４】
シャッター構成要素を収容するシャッターケースに装着されるカバーであって、
前記カバーは、上面、前面、左右の側面、下面を備え、前記カバー上面は、ケース上面の少なくとも一部を覆い、前記カバー側面は、ケース側面の少なくとも一部を覆い、前記カバー前面は、ケース前面を覆い、前記カバー下面は、ケース下面の少なくとも一部を覆うように前記シャッターケースに装着され、
前記カバー上面の前端には、当該カバー上面の全幅に亘って溝が形成されていると共に、前記溝内に第１水抜き孔が形成されており、
前記カバー下面には、前記溝の下方に位置して第２水抜き孔が形成されており、
前記カバーが前記シャッターケースに装着された状態でケース前面とカバー前面との間に形成された空間の上方に前記第１水抜き孔が位置し、下方に前記第２水抜き孔が位置し、前記第２水抜き孔が外部と連通するように構成されている、カバー。
【発明の詳細な説明】
【技術分野】
【０００１】
本発明は、シャッターケース構造、及び、シャッターケースに装着されるカバーに関するものである。
【背景技術】
【０００２】
窓シャッター装置のシャッターケースは、屋外側に位置しているため、雨が降ると、シャッターケースの上面に降り注いだ雨水が上面を伝って正面から垂れて流れ、流れ跡に水垢や垢汚れ（いわゆる、雨垂れ汚れ）が付着する。特に、明るい色調のシャッターケースにおいては、雨垂れ汚れが目立ち、シャッターケースの美観を阻害する要因となっている。
【０００３】
美観を保つためには、ユーザによる定期的な清掃が必要となるが、手間であると共に、設置場所によっては清掃が困難な場合もあり得る。ケースの塗装材料として汚れ難い塗料を用いることも考えられるが、このような塗料は高価であることから、ケースのコストアップを招くこととなる。
【０００４】
雨垂れ汚れを防止することを目的とするものとして特許文献１があり、シャッターボックスの前面上端部と天面前端部とが交差する領域に雨水貯留部を設けたシャッターボックスが開示されている。このものは、雨水貯留部に貯留された雨水を、貯留部の両側端の開放切り部から流れ落ちるようにするか、あるいは、シャッターボックスの側面の外部に設けた毛管溝や雨樋を伝って排水するようにしている。前者では、側面の前方側の比較的目立ちやすい部位（ボックスの前面に近い部位）に雨垂れ汚れが付着するおそれがあり、後者では、側面の外観を損ねるおそれがある。
【特許文献１】特開２００９−１９４２２
【発明の開示】
【発明が解決しようとする課題】
【０００５】
本発明は、シャッターケースの外観に与える影響を最小にしつつ、シャッターケース正面の雨垂れ汚れを抑制できるシャッターケース構造を提供することを目的とするものである。
【課題を解決するための手段】
【０００６】
本発明が採用した技術手段は、
上面、前面、左右の側面、下面を備え、シャッター構成要素を収容するシャッターケースにおいて、
前記上面の前端に当該上面の全幅に亘って溝を形成すると共に、前記溝内に第１水抜き孔を形成し、
前記下面の前端ないし前端近傍にケース外部に連通する第２水抜き孔を形成し、
前記シャッターケース内には、前記第１水抜き孔と前記第２水抜き孔とを連通させる連通空間が形成されており、当該連通空間は、シャッター構成要素の収容空間から遮断されている、シャッターケース構造、である。
【０００７】
一つの態様では、前記シャッターケース内には、前記前面に離間対向して内部空間を仕切る障壁が形成されており、当該障壁の前側が前記連通空間、後側が前記収容空間となっている。
このものでは、１枚の板体を用意し、シャッターケースの本来の構成要素に１枚の板体を取り付けて障壁を形成することができ、簡単に連通空間を形成することができる。
なお、複数の連通空間を形成してもよい。例えば、１つの第１水抜き孔と１つの第２水抜き孔を連通する流路を複数形成してもよい。
【０００８】
本発明が採用した他の技術手段は、
上面、前面、左右の側面、下面を備え、シャッター構成要素を収容するシャッターケースと、前記シャッターケースに装着されるカバーと、からなるシャッターケース構造であって、
前記カバーは、上面、前面、左右の側面、下面を備え、前記カバー上面は、前記ケース上面の少なくとも一部を覆い、前記カバー側面は、前記ケース側面の少なくとも一部を覆い、前記カバー前面は、前記ケース前面を覆い、前記カバー下面は、前記ケース下面の少なくとも一部を覆うように前記シャッターケースに装着され、前記シャッターケースに装着した状態でケース前面とカバー前面との間に空間が形成されており、
前記カバー上面の前端には、前記空間の上方に位置して当該カバー上面の全幅に亘って溝が形成されていると共に、前記溝内に第１水抜き孔が形成されており、
前記カバー下面には、前記空間の下方に位置して外部と連通する第２水抜き孔が形成されている、シャッターケース構造、である。
【０００９】
本発明が採用した他の技術手段は、
シャッター構成要素を収容するシャッターケースに装着されるカバーであって、
前記カバーは、上面、前面、左右の側面、下面を備え、前記カバー上面は、ケース上面の少なくとも一部を覆い、前記カバー側面は、ケース側面の少なくとも一部を覆い、前記カバー前面は、ケース前面を覆い、前記カバー下面は、ケース下面の少なくとも一部を覆うように前記シャッターケースに装着され、
前記カバー上面の前端には、当該カバー上面の全幅に亘って溝が形成されていると共に、前記溝内に第１水抜き孔が形成されており、
前記カバー下面には、前記溝の下方に位置して第２水抜き孔が形成されており、
前記カバーが前記シャッターケースに装着された状態でケース前面とカバー前面との間に形成された空間の上方に前記第１水抜き孔が位置し、下方に前記第２水抜き孔が位置し、前記第２水抜き孔が外部と連通するように構成されている、カバー、である。
【発明の効果】
【００１０】
本発明では、雨天時にシャッターケースの上面に降り注いだ雨水は、上面の前端に形成された溝内に案内されるため、上面に降り注いだ雨水が上面を伝って正面から垂れて流れることが防止される。溝内に流れ落ちた雨水は、溝内に形成された第１水抜き孔を通って連通空間内に落下し、連通空間の下方に形成した第２水抜き孔からケース外部に排水される。雨水の排出路をシャッターケース内に形成したので、ケース外部に排出路が露出してシャッターケースの外観を損ねることがない。ケース上面の前端に形成した溝は通常外部から見えることはなく、溝内の第１水抜き孔は隠蔽された状態にある。第２水抜き孔も外部から目立たないケース下面に形成されており、シャッターケース外観を損ねることがない。連通空間は、収容空間から遮断されているので、収納空間内に雨水が浸入することがない。
【００１１】
請求項３、４に記載したものでは、既設のシャッターケースにおいて、シャッターケース正面の雨垂れ汚れを抑制できるシャッターケース構造を提供することができる。
【図面の簡単な説明】
【００１２】
【図１】窓シャッター装置の概略を示す平面図、正面図、側面図である。
【図２】第１の実施形態に係るシャッターケース構造の縦断面図である。
【図３】図２のシャッターケース構造をケース体とブラケット組立体に分解して示す図である。
【図４】図３のケース体の部分平面図、正面図、部分底面図である。
【図５】図４の矢視に沿った縦断面図、縦断面図の部分拡大図である。
【図６】図３のケース体の部分背面図である。
【図７】第２の実施形態に係るシャッターケース構造の縦断面図である。
【図８】図７のシャッターケース構造をケース体とブラケット組立体に分解して示す図である。
【図９】第３の実施形態に係るシャッターケース構造の縦断面図である。
【図１０】図９のシャッターケース構造をカバーとシャッターケースに分解して示す図である。
【発明を実施するための形態】
【００１３】
図１は、窓シャッター装置の概略を示す平面図、正面図、側面図であり、図２は、第１の実施形態に係るシャッターケース構造を備えた窓シャッター装置の縦断面図である。窓シャッター装置は、建物開口部の上方に位置して、建物の外壁に取り付けられたシャッターケース１と、建物開口部の幅方向両側に取り付けられた左右のガイドレール２と、シャッターケース１内に設けた巻取シャフト３と、上端が巻取シャフト３に連結されており、巻取シャフト３に巻き取られ／繰り出されることで、建物開口部を開閉するシャッターカーテン４と、を備えている。建物開口部は窓障子（図示せず）によって開閉されるようになっており、窓シャッター装置は窓障子の屋外側に位置して設けられている。
【００１４】
シャッターケース１は、上面１０、前面１１、左右の側面１２、下面１３を備え、内部空間にシャッター構成要素（巻取シャフト３、巻取シャフト３に巻装されたシャッターカーテン４）を収容するようになっている。上面１０は、前方に向かって緩やかに下方に傾斜する傾斜面となっている。前面１１、側面１２は、略垂直状に延びる垂直面となっている。下面１３には、開口幅方向に延びる開口が形成されており、当該開口を通ってシャッターカーテン４が昇降するようになっている。
【００１５】
本明細書において、上面１０、前面１１、左右の側面１２、下面１３は、それぞれ、シャッターケース１の上面、前面、左右の側面、下面に位置する部位を指しており、各面は複数の部材を組み合わせて形成されていてもよく、また、一つの部材を折曲形成することで当該一つの部材が複数の面を形成してもよい。例えば、下面１３は、前面１１を形成する板状部材の下方部位を折り曲げた部位と、当該折り曲げた部位に取り付けられた別の板状部材と、から形成されてもよい。また、各面は、必ずしも平面である必要はなく、凹凸を含んでいても良い。例えば、図示の態様では、前面１１、側面１２には、高さ方向中間部位に位置して水平状に延びる凹溝が形成されている。
【００１６】
上面１０の前端には、上面１０の全幅に亘って溝１００が形成されている。図示の態様では、溝１００は、断面視において、垂直面１０１と傾斜状の底面１０２とからレ状の形状を有しているが、溝の形状は図示の態様に限定されず、例えば、対向する２つの垂直面と底面とから溝を形成してもよい。溝の底面１０２には、上面１０の幅方向に間隔を存して複数の第１水抜き孔１０３が形成されている（図１、図４参照）。
【００１７】
前面１１を形成する板材の下端部位は、後側（建物外壁側）に折り曲げることで下面１３の前端部１３Ａが形成されている。前端部１３Ａは、前面１１の下端から後方に延びる前側水平部１３０と、前側水平部１３０の後端から垂直状に立ち上がる立ち上がり部１３１と、立ち上がり部１３１の上端から後方に延びる後側水平部１３２と、からなる。立ち上がり部１３１には、立ち上がり部１３１の幅方向に間隔を存して複数の第２水抜き孔１３３が形成されている（図６参照）。下面１３は開口幅方向に延びる長尺材であることから、開口幅方向の中央部位が幾分下方に撓むおそれがあり、この点において、第２水抜き孔１３３を中央部位に形成することで効果的に水抜きを行うことができる。
【００１８】
巻取シャフト３は、建物外壁より持ち出し状に設けた左右のブラケット１４間に支持されている。左右のブラケット１４の外側に側面１２が位置するようになっている。ブラケット１４はシャッターケースの断面形状に略対応する形状を備えている。図示の態様では、ケース側面１２を形成する板材とブラケット１４とは別部材であるが、ブラケット１４の外側に別途板材を設けずに、ブラケット１４を外側から覆うように設けたサイドカバーがケース側面を形成するようにしてもよい。
【００１９】
図３右図に示すように、ブラケット１４の面部の縁部には、ブラケット面部に対して折り曲げて上片１４０、前片１４１、下片１４２、後片１４３が形成されている。左右のブラケット１４間には、上片１４０、前片１４１、下片１４２、後片１４３によって形成された角部（上部後方、上部前方、下部前方）に位置して、開口幅方向に延びる複数のアングル材１５Ａ、１５Ｂ、１５Ｃが取り付けられており、左右のブラケット１４、アングル材１５Ａ、１５Ｂ、１５Ｃからブラケット組立体が構成されている。さらに、左右のブラケット１４の前片１４１間には、障壁を形成する板体１６が設けてある。
【００２０】
図示の態様では、上面１０、前面１１、左右の側面１２、下面１３の前端部１３Ａからなるケース体を、ブラケット１４、アングル材１５Ａ、１５Ｂ、１５Ｃからなるブラケット組立体に被せるように装着する。この時、上面１０の前端の溝１００の垂直面１０１がブラケット１４の前片１４１に設けた板体１６に外側から当たり、また、前端部１３Ａの後側水平部１３２がブラケット１４の下片１４２に下方から当たるようになっている。板体１６の幅方向の左右端縁は左右の側面１２の内面に密接することで水密性を確保するようにしている。なお、板体１６の左右端縁と側面１２の内面との接触部に防水テープを設けてもよい。板体１６の下端部位は外側に折り曲げて水切り片１６０が形成されている。
【００２１】
このようにして、前面１１と板体１６との間に空間が形成され、この空間の上方は第１水抜き孔１０３と連通しており、下方は第２水抜き孔１３３と連通している。すなわち、シャッターケース１内には、前面１１に離間対向して内部空間を仕切る板体１６からなる障壁が形成されており、障壁の前側が第１水抜き孔１０３と第２水抜き孔１３３とを連通させる連通空間Ｓ１、後側がシャッター構成要素を収容する収容空間Ｓ２となっている。連通空間Ｓ１は、板体１６によって、収容空間Ｓ２から分離され遮断されている。板体１６の下端部位には厳密には隙間が形成されているが、収容空間Ｓ２の前方下方部位はデッドスペースでありシャッター構成要素は配置されておらず、連通空間Ｓ１は、板体１６によって、収容空間Ｓ２から実質的に遮断されている。また、板体１６の下端部位の水切り片１６０が収納空間Ｓ２の前方下方部位への雨水の浸入を防止する。
【００２２】
下面１３の残り部位（前端部１３Ａ以外の部位）は板体１７から形成されている。図３右図に示すように、板体１７の前端側は前端部１３Ａの後側水平部１３２、ブラケット１４の下片１４２、アングル材１５Ｃに螺子で固定され、後端側には外まぐさを形成するアングル材１５Ｄが設けてあり、ブラケット１４の下片１４２、アングル材１５Ｄに螺子で固定される。
【００２３】
このように構成されたシャッターケース構造において、雨天時にシャッターケース１の上面１０に降り注いだ雨水は上面１０の傾斜によって前端へ移動し、上面１０の前端に形成された溝１００内に案内されるため、上面１０に降り注いだ雨水が上面１０を伝って正面から垂れて流れることが防止される。溝１００内に流れ落ちた雨水は、溝１００の底面１０２に形成された第１水抜き孔１０３を通って連通空間Ｓ１内に落下し、連通空間Ｓ１の下方に形成した第２水抜き孔１３３からケース外部に排水される。連通空間Ｓ１は、板体１６によって、収容空間Ｓ２から遮断されているので、収納空間Ｓ２内に雨水が浸入することがない。
【００２４】
雨水の排出路をシャッターケース１内に形成したので、ケース外部に排出路が露出してシャッターケース１の外観を損ねることがない。ケース上面１０の前端に形成した溝１００は通常外部から見えることはなく、溝１００内の第１水抜き孔１０３は隠蔽された状態にある。第２水抜き孔１３３も外部から目立たないケース下面の前端部１３Ａに形成されており（特に、本実施形態では、立ち上がり部１３１に形成されている）、シャッターケース外観を損ねることがない。
【００２５】
第２の実施形態に係るシャッターケース構造を図７、図８に基づいて説明する。第１の実施形態、第２の実施形態共に、ケース体とブラケット組立体からシャッターケースが構成されるが、第１の実施形態では、連通空間Ｓ１を形成する板体１６がブラケット組立体に固定されるのに対して（図３）、第２の実施形態では、板体１６がケース体に固定される（図８）。第１の実施形態と同様の構成要素には同一の参照番号が付してあり、同じ参照番号が付された構成要素の説明は、第１の実施形態に係る記載を援用することができる。
【００２６】
第１の実施形態と同様に、シャッターケース１の上面１０の前端には、上面１０の全幅に亘って溝１００が形成されている。溝１００は、断面視において、垂直面１０１と傾斜状の底面１０２とからレ状の形状を有している。溝の底面１０２には、上面１０の幅方向に間隔を存して複数の第１水抜き孔１０３が形成されている。
【００２７】
前面１１を形成する板材の下端部位は、後側（建物外壁側）に折り曲げることで下面１３の前端部１３Ａが形成されている。前端部１３Ａは、前面１１の下端から後方に延びる前側水平部１３０と、前側水平部１３０の後端から垂直状に立ち上がる立ち上がり部１３１と、からなる。立ち上がり部１３１には、立ち上がり部１３１の幅方向に間隔を存して複数の第２水抜き孔１３３が形成されている。
【００２８】
図８左図に示すように、溝１００の垂直面１０１には板体１６の上端部位が連結されており、板体１６の下端部位は立ち上がり部１３１に連結されている。板体１６の幅方向の左右端縁は左右の側面１２の内面に密接することで水密性を確保するようにしている。前面１１と板体１６との間に連通空間Ｓ１が形成され、この空間Ｓ１の上方は第１水抜き孔１０３と連通しており、下方は第２水抜き孔１３３と連通している。
【００２９】
板体１６が装着されたケース体を、ブラケット１４、アングル材１５Ａ、１５Ｂ、１５Ｃからなるブラケット組み立て体に被せるように装着し、アングル材１５Ｄを備えた板体１７を、ブラケット組み立て体の下方に装着することで、シャッターケース構造が形成される。
【００３０】
このように形成されたシャッターケース構造において、シャッターケース１内には、前面１１に離間対向して内部空間を仕切る板体１６からなる障壁が形成されており、障壁の前側が第１水抜き孔１０３と第２水抜き孔１３３とを連通させる連通空間Ｓ１、後側がシャッター構成要素を収容する収容空間Ｓ２となっている。連通空間Ｓ１は、板体１６によって、収容空間Ｓ２から分離され遮断されている。
【００３１】
雨天時にシャッターケース１の上面１０に降り注いだ雨水は上面１０の傾斜によって前端へ移動し、上面１０の前端に形成された溝１００内に案内されるため、上面１０に降り注いだ雨水が上面１０を伝って正面から垂れて流れることが防止される。溝１００内に流れ落ちた雨水は、溝１００の底面１０２に形成された第１水抜き孔１０３を通って連通空間Ｓ１内に落下し、連通空間Ｓ１の下方に形成した第２水抜き孔１３３からケース外部に排水される。連通空間Ｓ１は、板体１６によって、収容空間Ｓ２から遮断されているので、収納空間Ｓ２内に雨水が浸入することがない。
【００３２】
雨水の排出路をシャッターケース１内に形成したので、ケース外部に排出路が露出してシャッターケース１の外観を損ねることがない。ケース上面１０の前端に形成した溝１００は通常外部から見えることはなく、溝１００内の第１水抜き孔１０３は隠蔽された状態にある。第２水抜き孔１３３も外部から目立たないケース下面１３Ａの前端部に形成されており（特に、本実施形態では、立ち上がり部１３１に形成されている）、シャッターケース外観を損ねることがない。
【００３３】
第３の実施形態に係るシャッターケース構造を図９、図１０に基づいて説明する。シャッターケース構造は、上面１０´、前面１１´、左右の側面１２´、下面１３´を備え、シャッター構成要素を収容する既設のシャッターケース１´と、シャッターケース１´に装着されるカバー１８と、からなる。
【００３４】
カバー１８は、上面１８０、前面１８１、左右の側面１８２、下面１８３からなり、シャッターケース１´に被さって覆うようにシャッターケース１´に対応する形状を備えている。すなわち、カバー１８の上面１８０は、シャッターケース１´の上面１０´の上に被さるように同じ傾斜面から形成されており、前面１８１の高さ寸法、横幅寸法は、前面１１より僅かに大きい寸法を備えている。カバー１８をシャッターケース１´に装着した状態では、ケース前面１１´とカバー前面１８１との間に空間Ｓ１´が形成されるようになっている（図９）。空間Ｓ１´は、シャッターケース１´の前面１１´を障壁として、シャッターケース１´の収容空間Ｓ２´から遮断されている。
【００３５】
カバー１８の上面１８０の前端には、空間Ｓ１´の上方に位置して、上面１８０の全幅に亘って溝１００´が形成されている。溝１００´は、断面視において、垂直面１０１´と傾斜状の底面１０２´とからレ状の形状を有している。溝１００´の底面１０２´には、上面１８０の幅方向に間隔を存して複数の第１水抜き孔１０３´が形成されている。
【００３６】
カバー１８の前面１８１を形成する板材の下端部位は、後側（建物外壁側）に折り曲げることでカバー下面１８３が形成されている。カバー下面１８３の後端側には、立ち上がり片１８３０と、立ち上がり片１８３０の上端を後側に折曲形成してなる水平片１８３１が形成されている。カバー下面１８３には、空間Ｓ１´の下方に位置して、幅方向に間隔を存して複数の第２水抜き孔１３３´が形成されており、空間Ｓ１´の下方側は外部と連通されている。
【００３７】
カバー１８は、シャッターケース１´を覆うように被せた状態で、カバー上面１８０とシャッターケース１´の上面１０´、カバー下面１８３の後側に形成した水平片１８３１とシャッターケース１´の下面１３´を、それぞれ螺子を用いて固定することでシャッターケース構造が得られる。シャッターケース構造の外観を考慮すると、カバー１８は、建物外壁の外に位置するシャッターケース１´の上面１０´、前面１１´、側面１２´の全体を覆うものであることが望ましい。
【００３８】
雨天時にカバー１８の上面１８０に降り注いだ雨水は上面１８０の傾斜によって前端へ移動し、上面１８０の前端に形成された溝１００´内に案内されるため、上面１８０に降り注いだ雨水が上面１８０を伝って前面１８１から垂れて流れることが防止される。溝１００´内に流れ落ちた雨水は、溝１００´の底面１０２´に形成された第１水抜き孔１０３´を通って連通空間Ｓ１´内に落下し、連通空間Ｓ１´の下方に形成した第２水抜き孔１３３´から外部に排水される。連通空間Ｓ１´は、シャッターケース１´の前面１１´によって、収容空間Ｓ２´から遮断されているので、収納空間Ｓ２´内に雨水が浸入することがない。
【００３９】
本実施形態では、シャッターケース１´の上面１０´、前面１１´、左右の側面１２´は、カバー１８に完全に覆われており、カバー１８の上面１８０、前面１８１、左右の側面１８２がシャッターケース構造の上面、前面、左右側面を形成する。雨水の排出路をシャッターケース１´の前面１１´とカバー１８の前面１８１との間に形成したので、外部に排出路が露出してシャッターケース構造の外観を損ねることがない。カバー上面１８０の前端に形成した溝１００´は通常外部から見えることはなく、溝１００´内の第１水抜き孔１０３´は隠蔽された状態にある。第２水抜き孔１３３´も外部から目立たないカバー下面１８３に形成されており、シャッターケース外観を損ねることがない。
【符号の説明】
【００４０】
１  シャッターケース
１０  上面
１３  下面
１００  溝
１０３  第１水抜き孔
１３３  第２水抜き孔
Ｓ１  連通空間
Ｓ２  収容空間
【図１】
0005535126.tif 000002
【図２】
0005535126.tif 000003
【図３】
0005535126.tif 000004
【図４】
0005535126.tif 000005
【図５】
0005535126.tif 000006
【図６】
0005535126.tif 000007
【図７】
0005535126.tif 000008
【図８】
0005535126.tif 000009
【図９】
0005535126.tif 000010
【図１０】
0005535126.tif 000011